(57)【特許請求の範囲】
【請求項１】
屋外に設置される箱体内部にファンとこのファンの近傍上部に位置する電源板が設けられた分離型空気調和装置の室外機において、
回転方向にて電源板設置域に向かう前記ファンからの接線を横切る水切り板を備え、箱体上部に着脱可能に設けられた天板と、電源板設置域へ箱体内部隣接域から配線を通す上向きに開放された連通口と、この連通口に対応して前記天板から垂下して前記連通口に上方より進入して遮断するように天板に一体に形成された仕切り板とを備え、仕切り板は、対向面に対しその形状に合うように変形して密着する柔軟性のある樹脂部材またはゴム部材を下端に備えたことを特徴とする分離型空気調和装置の室外機。
【請求項２】
水切り板は、天板から垂下するようにこの天板に一体に形成された請求項１記載の分離型空気調和装置の室外機。
【発明の詳細な説明】
【０００１】
【発明の属する技術分野】
本発明は、屋外に設置される分離型空気調和装置の室外機に関し、特に上方からの配線や組立を行うのに好適な室外機に関する。
【０００２】
【従来の技術】
近年、分離型空気調和装置の室外機、特に窓、ベランダ、階段あるいは屋上などからすぐ下方の壁面に設置される室外機は、小型軽量化され、上方からの配線や組立を行うのに都合がよいように、箱内上部に配線部や配管部を設け、箱体上面が着脱可能な天板となっているものが多い。
【０００３】
従来この種の室外機の一例は、図５に示すように、その箱体２１の内部が防音板３１にてファン室Ｐと圧縮機室Ｑとの２室に仕切られている。ファン室Ｐにはファン２６や熱交換器２８などが収容されており、圧縮機室Ｑの下部には圧縮機２９などが収容され、圧縮機室Ｑの上部には圧縮機２９に室内機からの冷媒配管を接続する配管接続部３０が設けられる。電源接続用の配線２５は、圧縮機室Ｑの上部にある前記配管接続部３０の設置スペースＲを利用して上方から配線作業できるようにこの設置スペースＲ内に箱体２１外から引き込まれる。しかし配管接続部３０は空気調和装置の運転によって結露することがあるので、電源板２３は設置スペースＲから仕切壁２４ａにより仕切ってファン室Ｐの側の上部の設置スペースＳに設けられ、仕切壁２４ａに設けた貫通孔３１を通して配線２５を接続している。このような上方からの配線作業は、箱体２１の天板２２を取り外して設置スペースＲ、Ｓの上部を開放して行う。配線作業後、電源板２３の設置スペースＳへの水の侵入を防止するため、前記貫通孔３１と配線２５との隙間は勿論であるが、降雨や暖房モードの除霜運転などによってファン室Ｐ内に水が侵入してファン２６に水が付着すると、この水の一部がこのファン２６の回転によって電源板２３設置域に向かって強く飛散するので、電源板２３の設置スペースＳの上方へ開放されている口縁部３２と天板２２との間などの風路と設置スペースＳとの間にできる各間隙にもコーキング材などを充填してシールするようにしている。
【０００４】
【発明が解決しようとする課題】
しかしながら、従来の室外機では、箱体２１外から設置スペースＲへ引き込んだ配線２５をさらに貫通孔３１を通して設置スペースＳへ引き込まなければならないので引き込み作業が楽でない上、設置スペースＳに引き込んだ配線２５を電源板２３に接続する作業も両設置スペースＲ、Ｓ間の仕切壁２４ａが邪魔するので容易でない。
【０００５】
また、風路と設置スペースＳとの間にできる隙間は設置スペースＳの形状構造によって異なるが、その上方に開放されている口縁部３２と天板２２との間など形状が複雑でその表面積が比較的大きいため前記コーキングを行うのは困難で作業に長い時間が掛かるし、多量のシール材を消費し作業コストが高くなる。
【０００６】
本発明は、上記問題に鑑み、電源板設置領域への水の侵入を簡単に防止することができる分離型空気調和装置の室外機を提供することを主たる目的とし、必要に応じて上方からの配線や組立の作業性が向上するようにもする。
【０００７】
【課題を解決するための手段】
本発明は、上記目的を達成するため、屋外に設置される箱体内部にファンとこのファンの近傍上部に位置する電源板が設けられた分離型空気調和装置の室外機において、回転方向にて電源板設置域に向かう前記ファンからの接線を横切る水切り板を備え、箱体上部に着脱可能に設けられた天板と、電源板設置域へ箱体内部隣接域から配線を通す上向きに開放された連通口と、この連通口に対応して前記天板から垂下して前記連通口に上方より進入して遮断するように天板に一体に形成された仕切り板とを備え、仕切り板は、対向面に対しその形状に合うように変形して密着する柔軟性のある樹脂部材またはゴム部材を下端に備えたことを特徴とする。
【０００８】
本発明の分離型空気調和装置の室外機によれば、室外機内に侵入してファンに付着した水がこのファンの回転によって電源板設置域に向かって飛散しても、電源板設置域に向かって飛散する水の全てが、前記位置条件で設けられた水切り板が横切っている回転方向にて電源板設置域に向かうファンからの接線上にあって電源板設置域に到達する前に遮蔽されるので、配線接続後に電源板設置域とファンの風路との間をシールすることなく、電源板への水の侵入を防止することができる。併せ、箱体内に外部から配線を引き込み、これを電源板設置域へその隣接域から配線する際に、それら電源板設置域および隣接域双方に上からまたがらせてそれを上方に開放した連通口に上方より嵌め合わせるだけでよく、孔に通す作業が要らないので配線の作業性をよくすることができると共に、配線後には、天板を取り付けるだけで、この天板に一体に形成された仕切り板の下端に備えられた柔軟性のある樹脂部材またはゴム部材が配線を挟んで対向面に合うように変形して密着することによって、特別なシール作業を行うことなく、連通口を通して隣接域から水が侵入するのを防止することができ、好適である。また、連通口を電源板設置域の幅いっぱいに設定しておけば、配線作業において両域間の仕切壁がなくなるので、配線を電源板に接続するのに好都合である。
【０００９】
水切り板は、天板から垂下するようにこの天板に一体に形成すると、部品点数および組立工数を増やさずに水切り板を設置することができると共に、水切り板と天板との間に隙間ができないのでそれらを埋めるコーキング作業が不要になる。
【００１１】
【発明の実施の形態】
本発明の実施形態を図面に基づいて以下に説明する。
【００１２】
本発明の分離型空気調和装置の室外機の第１の実施形態は、図１、図２に示すように、例えば窓下の外壁面に面付けされる箱形状の室外機である。この室外機の箱体１の内部は、防音板１１にてファン６や熱交換機８などを収容したファン室Ａと、圧縮機９などを収容した圧縮機室Ｂとの２室に仕切られ、箱体１の上面には、着脱可能な天板２を備えている。ファン室Ａの上部の電源板設置域Ｄには、配線５の接続部である電源板３と、ファン６の回転方向ｂによる電源板設置域Ｄに向かうファン６からの接線ａを横切る水切り板４とが、圧縮機室Ｂの上部の配管接続域Ｃには、配管接続部１０が、それぞれ備えられ、さらに防音板１１の上部には、電源板設置域Ｄへその隣接域の配管接続域Ｃから配線５を通す貫通孔１３が設けられている。
【００１３】
水切り板４は、図１、図２に示すような板金部材で、その下側はファン室Ａの下部に向かって垂下し、その上端は、天板２を箱体１に取付けた状態で天板２にほぼ当接するように構成されている。この水切り板４は、熱交換機８やファンガード７の上部を利用して容易に取付けることができ、メンテナンスのため着脱可能にしたり、従来の室外機によってはこれに追加して取付けることもできる。
【００１４】
この室外機を窓下の外壁面に据付けた後、天板２を取外し、図示しない室内機からの配線５を配管接続域Ｃに引き込み、さらにこの配線５を防音板１１上部の貫通孔１３を通して電源板３へ配線し、配管接続部１０へ配管し、最後に天板２を取付けて設置工事が完了する。
【００１５】
さてこの室外機の使用中に、降雨や暖房モードの除霜運転によって室外機内に水が侵入したり結露したりすることがあり、この水がファン６に付着してこのファン６の回転によって飛散する場合、重力などの影響を若干受けるもののほぼ回転方向ｂによる接線方向に強く飛散する。この第１の実施形態によれば、図２に示すように、この水の一部がファン６の回転方向ｂによって電源板設置域Ｄに向かう接線ａのように飛散しても、その水は水切り板４によって電源板設置域Ｄに到達する前に遮蔽されるので、配線５の接続後にファン室Ａが形成する風路と電源板設置域Ｄとの間をシールすることなく、電源板３への水の侵入を防止することができる。
【００１６】
本発明の分離型空気調和装置の室外機の第２の実施形態は、図３、図４に示すように、その箱体１内の下部は、防音板１５にてファン６などを収容したファン室Ａと、圧縮機９などを収容した圧縮機室Ｂとの２室にほぼ仕切られており、箱体１内の上部には、ファン６の上方の電源板３と、圧縮機９の上方の配管接続部１０と、電源板設置域Ｄへ配管接続域Ｃから配線５を通す上向きに開放された連通口１６とを備え、さらに箱体１上部には、着脱可能な天板１２を備えている。
【００１７】
天板１２には、図４に示すように、天板１２から垂下して電源板設置域Ｄに向かうファン６からの接線を横切る水切り板１４と、連通口１６に対応して天板１２から垂下してその下端にある樹脂部材１８が連通口１６の対向面１９に対してその形状に合うように変形して密着する仕切り板１７とがそれぞれ一体に備えられている。
【００１８】
水切り板１４は、その上端が天板１２に隙間のないように溶接され、その下側は、天板１２を箱体１に取付けた状態で、ファン室Ａの下部に向かって垂下するように構成されている。
【００１９】
仕切り板１７は、その上端が天板１２に隙間のないように溶接され、その下端に可塑剤を含んだ柔軟性のあるシリコン樹脂部材１８が備えられ、電源板３への配線後この天板１２を箱体１に取付けるだけで、シリコン樹脂部材１８が連通口１６の対向面１９に合うように変形して密着して、連通口１６を横切る配線５を前記対向面１９との間に挟み込むようにして、電源板設置域Ｄと配管接続域Ｃとの間を仕切って連通口１６をシールすることができるように構成されている。
【００２０】
この仕切り板１７の下端に備えられる部材は、上記に限定されず、変形に必要な柔軟性と対向面１９への密着性と仕切り板１７の下端への必要な接着強度とを有しておればよく、硬化剤をほとんど含まない合成ゴムなどのゴム部材でもよい。
【００２１】
この第２の実施形態によれば、図４に示すように、部品点数を増やすことなく、前記第１の実施形態と同様の作用を営むことができる。また、外部から配管接続域Ｃを経由して電源板３へ配線する際には、図３に示すように、配線５をまたがらせる連通口１６に仕切り板１７がないので配線の作業性をよくすることができるし、配線後には、この天板１２を箱体１に取付けるだけで、図４に示すように、仕切り板１７によって連通口１６をシールすることができるので、電源板設置域Ｄと配管接続域Ｃとの間に特別にシール作業を行うことなく、連通口１６を通して配管接続域Ｃから水が侵入するのを防止することができる。
【００２２】
上記実施形態のように、連通口１６を電源板設置域Ｄの幅いっぱいに設定しておけば、配線作業において電源板設置域Ｄと配管接続域Ｃ間の仕切壁がなくなるので、配線５を電源板３に接続するのに好都合であるが、本発明はこれに限定されず、連通口の幅は配線５を上方から嵌め込むことができれば、配線５を貫通孔に通す作業が要らないので作業性がよい。
【００２３】
【発明の効果】
本発明の分離型空気調和装置の室外機によれば、室外機内に侵入してファンに付着した水がこのファンの回転によって電源板設置域に向かって飛散しても、電源板設置域に向かって飛散する水の全てが、前記位置条件で設けられた水切り板が横切っている回転方向にて電源板設置域に向かうファンからの接線上にあって電源板設置域に到達する前に遮蔽されるので、配線接続後に電源板設置域とファンの風路との間をシールすることなく、電源板への水の侵入を防止することができる。併せ、箱体内に外部から配線を引き込み、これを電源板設置域へその隣接域から配線する際に、それら電源板設置域および隣接域双方に上からまたがらせてそれを上方に開放した連通口に上方より嵌め合わせるだけでよく、孔に通す作業が要らないので配線の作業性をよくすることができると共に、配線後には、天板を取り付けるだけで、この天板に一体に形成された仕切り板の下端に備えられた柔軟性のある樹脂部材またはゴム部材が配線を挟んで対向面に合うように変形して密着することによって、特別なシール作業を行うことなく、連通口を通して隣接域から水が侵入するのを防止することができ、好適である。また、連通口を電源板設置域の幅いっぱいに設定しておけば、配線作業において両域間の仕切壁がなくなるので、配線を電源板に接続するのに好都合である。
【００２４】
水切り板は、天板から垂下するようにこの天板に一体に形成すると、部品点数および組立工数を増やさずに水切り板を設置することができると共に、水切り板と天板との間に隙間ができないのでそれらを埋めるコーキング作業が不要になる。
【図面の簡単な説明】
【図１】本発明の分離型空気調和装置の室外機の第１の実施形態を示す斜視図。
【図２】図１を正面から見た概略断面図。
【図３】本発明の分離型空気調和装置の室外機の第２の実施形態を示す斜視図。
【図４】図３を正面から見た概略断面図。
【図５】従来例を示す斜視図。
【符号の説明】
１  箱体
２、１２  天板
３  電源板
４、１４  水切り板
５  配線
６  ファン
１６  連通口
１７  仕切り板
１８  樹脂部材
１９  対向面
ａ  電源板設置域へ向かう接線
ｂ  ファンの回転方向
Ｃ  配管接続域（隣接域）
Ｄ  電源板設置域
【図１】
0003618507.tif 000002
【図２】
0003618507.tif 000003
【図３】
0003618507.tif 000004
【図４】
0003618507.tif 000005
【図５】
0003618507.tif 000006